(57)【要約】【課題】対応した電子機器をリモートコントロールする付加機能を得る、監視機能及びリモートコントロール機能を有するリモートセキュリティ監視装置を提供する。【解決手段】監視機能及びリモートコントロール機能を有するリモートセキュリティ監視装置は、撮像器１３０、監視ホスト１１０及びリモートコントロール信号送受信器１２０を備える。監視ホスト１１０は、ネットワークを介して電子通信機器２００と通信し、電子通信機器２００は撮像器１３０の監視画面データを得る。リモートコントロール信号送受信器１２０は、監視ホスト１１０に配設されるとともに、リモートコントロール信号伝達ウィンドウ１２６及びリモートコントロール信号送受信回路を有する。【選択図】図１
0003197643.tif 000002
【実用新案登録請求の範囲】
【請求項１】
撮像器、監視ホスト及びリモートコントロール信号送受信器を備えた監視機能及びリモートコントロール機能を有するリモートセキュリティ監視装置であって、
前記監視ホストは、ネットワークを介して電子通信機器と通信し、前記電子通信機器は前記撮像器の監視画面データを得て、
前記リモートコントロール信号送受信器は、前記監視ホストに配設されるとともに、リモートコントロール信号伝達ウィンドウ及びリモートコントロール信号送受信回路を有し、前記リモートコントロール信号送受信回路は、前記監視ホストにより制御されて複数の電子機器と組み合わせる制御信号ペアラーニングプロセスを行い、前記電子通信機器から前記監視ホストへ伝送される電子機器リモートコントロール指令に基づき、リモートコントロール信号送信プロセスを行い、前記電子通信機器は、既にペアリングされた前記電子機器を制御し、前記リモートコントロール信号送受信回路は、互いに電気的に接続された受信領域と発射領域とにより構成され、異なる時間点で前記リモートコントロール信号伝達ウィンドウを介して前記制御信号ペアラーニングプロセス及び前記リモートコントロール信号送信プロセスを実行することを特徴とする監視機能及びリモートコントロール機能を有するリモートセキュリティ監視装置。
【請求項２】
前記リモートコントロール信号送受信器は、赤外線信号送受信器であり、
前記リモートコントロール信号送受信回路の前記受信領域は、前記電子機器のリモコンから射出されたリモートコントローラ制御信号を検出し、前記制御信号ペアラーニングプロセスを行い、前記リモートコントロール信号送受信回路の前記発射領域は、監視装置リモートコントロール信号を発射し、リモートコントロール信号送信プロセスを行うことを特徴とする請求項１に記載の監視機能及びリモートコントロール機能を有するリモートセキュリティ監視装置。
【請求項３】
前記リモートコントロール信号送受信器の赤外線リモコン搬送波周波数は３０ＫＨｚ〜５６ＫＨｚであることを特徴とする請求項２に記載の監視機能及びリモートコントロール機能を有するリモートセキュリティ監視装置。
【請求項４】
前記監視ホストは、前記制御信号ペアラーニングプロセスにおいて前記リモートコントロール信号送受信器の受信領域が検出した前記リモートコントローラ制御信号を複製し、前記監視ホストのメモリ中に記憶し、
前記リモートコントロール信号送信プロセスにおいて、前記リモートコントロール信号送受信器の前記発射領域から前記監視装置リモートコントロール信号を発射することを特徴とする請求項２又は３に記載の監視機能及びリモートコントロール機能を有するリモートセキュリティ監視装置。
【請求項５】
前記リモートコントロール信号伝達ウィンドウは、前記撮像器の撮像レンズの周囲に形成されることを特徴とする請求項４に記載の監視機能及びリモートコントロール機能を有するリモートセキュリティ監視装置。
【請求項６】
前記リモート監視装置の周囲に配設された複数のリモートコントロール信号送受信器をさらに備えることを特徴とする請求項４に記載の監視機能及びリモートコントロール機能を有するリモートセキュリティ監視装置。
【請求項７】
前記電子通信機器は手持ち式電子通信装置であることを特徴とする請求項４に記載の監視機能及びリモートコントロール機能を有するリモートセキュリティ監視装置。
【考案の詳細な説明】
【技術分野】
【０００１】
本考案は、リモートセキュリティ監視装置に関し、特に、監視機能及びリモートコントロール機能を有するリモートセキュリティ監視装置に関する。
【背景技術】
【０００２】
インターネット及び手持ち式電子通信装置の発展に伴い、遠隔操作で好きなときに監視を行うことができる装置及び通信技術は既に成熟しており、今日の利用者は、これら複数の装置にソフトウェアを実装して設定し、インターネットを利用することができる手持ち式電子通信装置は、予め設定されたセキュリティ監視装置と通信し、監視画面のデータを直ちに得ることができる。
【０００３】
しかし、今日のセキュリティ監視装置は、画面を用いた監視機能しか備えておらず、その他の機能も備えたセキュリティ監視装置が求められていた。
【考案の概要】
【考案が解決しようとする課題】
【０００４】
本考案の第１の目的は、対応した電子機器をリモートコントロールする付加機能を有する、監視機能及びリモートコントロール機能を有するリモートセキュリティ監視装置を提供することにある。
【０００５】
本考案の第２の目的は、リモートセキュリティ監視装置の見た目を簡素化し、リモートセキュリティ監視装置の製造コストが少ない、監視機能及びリモートコントロール機能を有するリモートセキュリティ監視装置を提供することにある。
【０００６】
本考案の第３の目的は、制御可能な電子機器の種類が多い、監視機能及びリモートコントロール機能を有するリモートセキュリティ監視装置を提供することにある。
【課題を解決するための手段】
【０００７】
上記課題を解決するために、本考案の第１の形態によれば、撮像器、監視ホスト及びリモートコントロール信号送受信器を備えた監視機能及びリモートコントロール機能を有するリモートセキュリティ監視装置であって、前記監視ホストは、ネットワークを介して電子通信機器と通信し、前記電子通信機器は前記撮像器の監視画面データを得て、前記リモートコントロール信号送受信器は、前記監視ホストに配設されるとともに、リモートコントロール信号伝達ウィンドウ及びリモートコントロール信号送受信回路を有し、前記リモートコントロール信号送受信回路は、前記監視ホストにより制御されて複数の電子機器と組み合わせる制御信号ペアラーニングプロセスを行い、前記電子通信機器から前記監視ホストへ伝送される電子機器リモートコントロール指令に基づき、リモートコントロール信号送信プロセスを行い、前記電子通信機器は、既にペアリングされた前記電子機器を制御し、前記リモートコントロール信号送受信回路は、互いに電気的に接続された受信領域と発射領域とにより構成され、異なる時間点で前記リモートコントロール信号伝達ウィンドウを介して前記制御信号ペアラーニングプロセス及び前記リモートコントロール信号送信プロセスを実行することを特徴とする監視機能及びリモートコントロール機能を有するリモートセキュリティ監視装置が提供される。
【０００８】
前記リモートコントロール信号送受信器は、赤外線信号送受信器であり、前記リモートコントロール信号送受信回路の前記受信領域は、前記電子機器のリモコンから射出されたリモートコントローラ制御信号を検出し、前記制御信号ペアラーニングプロセスを行い、前記リモートコントロール信号送受信回路の前記発射領域は、監視装置リモートコントロール信号を発射し、リモートコントロール信号送信プロセスを行うことが好ましい。
【０００９】
前記リモートコントロール信号送受信器の赤外線リモコン搬送波周波数は３０ＫＨｚ〜５６ＫＨｚであることが好ましい。
【００１０】
前記監視ホストは、前記制御信号ペアラーニングプロセスにおいて前記リモートコントロール信号送受信器の受信領域が検出した前記リモートコントローラ制御信号を複製し、前記監視ホストのメモリ中に記憶し、前記リモートコントロール信号送信プロセスにおいて、前記リモートコントロール信号送受信器の前記発射領域から前記監視装置リモートコントロール信号を発射することが好ましい。
【００１１】
前記リモートコントロール信号伝達ウィンドウは、前記撮像器の撮像レンズの周囲に形成されることが好ましい。
【００１２】
前記リモート監視装置の周囲に配設された複数のリモートコントロール信号送受信器をさらに備えることが好ましい。
【００１３】
前記電子通信機器は手持ち式電子通信装置であることが好ましい。
【考案の効果】
【００１４】
本考案の監視機能及びリモートコントロール機能を有するリモートセキュリティ監視装置は、受信及び送信を同一のリモートコントロール信号伝達ウィンドウの１つのリモートコントロール信号送受信器を配置することにより、制御信号ペアラーニングプロセス及びリモートコントロール信号送信プロセスを同時に実行することはできないが、統合型のリモートコントロール信号送受信器によりリモートセキュリティ監視装置は見た目が簡素で、コストが安く、ペアリング範囲が広いという長所を有する。
【図面の簡単な説明】
【００１５】
【図１】図１は、本考案の一実施形態に係る監視機能及びリモートコントロール機能を有するリモートセキュリティ監視装置を示す機能ブロック図である。
【図２】図２は、本考案の一実施形態に係る監視機能及びリモートコントロール機能を有するリモートセキュリティ監視装置の本体を示す模式図である。
【考案を実施するための形態】
【００１６】
以下、本考案の実施形態について図に基づいて説明する。なお、これによって本考案が限定されるものではない。
【００１７】
図１を参照する。図１は、本考案の一実施形態に係る監視機能及びリモートコントロール機能を有するリモートセキュリティ監視装置を示す機能ブロック図である。図１に示すように、本考案の一実施形態に係る監視機能及びリモートコントロール機能を有するリモートセキュリティ監視装置は、撮像器１３０、監視ホスト１１０及びリモートコントロール信号送受信器１２０を含む。監視ホスト１１０は、ネットワークを介して電子通信機器２００と通信し、電子通信機器２００により撮像器１３０の監視画面データを得るが、この操作方式は、リモートセキュリティ監視装置の基本的な機能である。
【００１８】
前述のネットワークには、インターネット（ｉｎｔｅｒｎｅｔ）、ローカルエリアネットワーク（Ｌｏｃａｌ  Ａｒｅａ  Ｎｅｔｗｏｒｋ）又はそれらの組み合わせ（例えば、電子通信機器２００は、インターネットを介する一方、監視ホスト１１０は、ローカルエリアネットワークを介し、ローカルエリアネットワークがインターネットと接続される）が含まれる上、有線又は無線のネットワークは、該ネットワークの範囲に含まれる。本実施形態の電子通信機器２００は、ノート型パソコン、デスクトップ型パソコン、手持ち式電子通信装置（例えば、スマートフォン、タブレット型パソコン）などであり、ネットワークの設備又は装置に接続されてもよい。図１では、電子通信機器２００がスマートフォン、デスクトップ型パソコン、タブレット型パソコンであることを例にとり説明しており、監視ホスト１１０がネットワークと直接接続されていることを概括的に表示している。この概括的に表示しているものには、監視ホスト１１０とネットワークとを接続する様々な従来技術手段が含まれ、例えば、ルーターを介して監視ホスト１１０をインターネットに接続する例はその一例である。
【００１９】
本実施形態のリモートコントロール信号送受信器１２０は、監視ホスト１１０上に設置されるとともに、リモートコントロール信号伝達ウィンドウ１２６及びリモートコントロール信号送受信回路を有する。リモートコントロール信号送受信回路は、互いに電気的に接続された受信領域１２２及び発射領域１２４から構成される。リモートコントロール信号送受信回路は、発射領域１２４により監視装置リモートコントロール信号ＣＳｏを生成し、受信領域１２２により電子機器の元々のリモコンから発射されたリモートコントローラ制御信号ＣＳｉを受信する。
【００２０】
本実施形態のリモートセキュリティ監視装置１００は、制御信号ペアラーニングプロセスを介し、電子機器を制御する制御条件をサーチし、これを記録して記憶する。これは、まず、監視ホスト１１０を介してリモートコントロール信号送受信器１２０の受信領域１２２を導通し、検出機能をオンし、制御信号ペアラーニングプロセスを初期化する。続いて、電子機器の元々のリモコンによりリモートコントロール信号送受信器１２０のリモートコントロール信号伝達ウィンドウ１２６に対してリモートコントローラ制御信号ＣＳｉを発射する。リモートコントロール信号送受信器１２０の受信領域１２２がリモートコントローラ制御信号ＣＳｉを感知して電気信号へ変換し、監視ホスト１１０に記憶して電子機器の制御信号ペアラーニングプロセスを完了し、後に電子機器を制御するために用い、ペアラーニングプロセスが完了した後、電子機器の元々のリモコンは必要無く、本考案のリモートセキュリティ監視装置１００は、対応した電子機器をリモートコントロールすることができる。図１は、１つの電子機器３００のみで概括的に表示されているが、実際には、本考案のリモートセキュリティ監視装置１００の電子機器を記録することができる対応した制御条件は、監視ホスト１１０の記憶能力のみにより決定される。また、本考案は、リモートコントロール信号送受信器１２０と監視ホスト１１０とを接続し、監視ホスト１１０を後処理工程と見なし、リモートコントロール信号送受信器１２０を前処理工程と見なすことができるため、本考案のリモートセキュリティ監視装置１００が記憶可能なペアの数が大幅に増え、リモートセキュリティ監視装置１００が制御可能な対応した電子機器の種類及び範囲が広くなる。
【００２１】
本実施形態のリモートセキュリティ監視装置１００は、リモートコントロール信号送信プロセスにより電子機器を制御する。リモートコントロール信号送信プロセスの初期化は、リモートセキュリティ監視装置１００がネットワークを介して電子通信機器２００から送られてくる電子機器リモコンコマンドを受け取り、制御信号ペアラーニングプロセスが実行されていない状況下において、リモートコントロール信号送受信器１２０の作用領域を発射領域１２４へ切替えてから、電子機器のリモートコントロール指令に基づきリモートセキュリティ監視装置１００のメモリから電子機器に対応した制御条件をキャプチャし、これにより電子機器リモートコントロール指令を、対応した電子機器を制御することができる監視装置リモートコントロール信号へ変換して発射領域１２４へ送信して発射する。
【００２２】
本実施形態の制御信号ペアラーニングプロセス及びリモートコントロール信号発信プロセスの信号伝送は、リモートコントロール信号伝達ウィンドウ１２６を通過する。リモートコントロール信号送受信回路中の受信領域１２２と発射領域１２４との選択は、例えば、トランジスタの制御により２つのブロックの回路により、異なる時間点での駆動（必要な電圧を供給する）を行う。ここで制御とは、その他複数の電子回路制御手段により行うことができるが、ここでは詳しく説明しない。
【００２３】
続いて、図２を参照する。図２は、本考案の一実施形態に係る監視機能及びリモートコントロール機能を有するリモートセキュリティ監視装置の本体を示す模式図である。図２に示すように、本実施形態のリモートコントロール信号送受信器１２０は、赤外線信号送受信器である。リモートコントロール信号送受信回路の受信領域１２２は、電子機器のリモコンから射出された赤外線波長帯のリモートコントローラ制御信号を、リモートコントロール信号伝達ウィンドウ１２６により検出し、制御信号ペアラーニングプロセスを行う。リモートコントロール信号送受信回路の発射領域１２４は、発射領域１２４上の発光ダイオードを介してリモートコントロール信号伝達ウィンドウ１２６から、同様に赤外線波長帯の監視装置リモートコントロール信号を発射し、リモートコントロール信号送信プロセスを行う。リモートコントロール信号送受信器の発射領域１２４は、３０ＫＨｚ〜５６ＫＨｚの赤外線リモコン搬送波周波数を発射することができる能力を備えた発光ダイオード及びその駆動回路であることが好ましい。搬送波周波数の範囲は、リモートコントロール信号送受信器中のプロセッサの分周関係に基づき、例えば、３２ＫＨｚ、３６ＫＨｚ、３８ＫＨｚ、４０ＫＨｚ及び５６ＫＨｚにそれぞれ分けられる。
【００２４】
図２を参照する。図２に示すように、リモートコントロール信号伝達ウィンドウ１２６は、撮像器１３０の撮像レンズ１３４の周囲に形成されることが好ましく、撮像器１３０の補助照明装置１３２と共に配置してもよく、これにより本考案のリモートセキュリティ監視装置は簡素な見た目を有する。リモートコントロール信号伝達ウィンドウ１２６を１つのリモートコントロール信号送受信回路と結合する方式により、リモートセキュリティ監視装置１００の製造コストを節約することができる。これ以外に、他の実施形態では、リモート監視装置は、複数のリモートコントロール信号送受信器を含んでもよい。これら複数のリモートコントロール信号送受信器は、リモート監視装置の周囲に配設され、多角度、さらには全角度（即ち３６０度）の制御を行うことができるため、リモート監視装置の周囲の電子機器を容易に制御することができる。
【００２５】
また、本考案のリモートセキュリティ監視装置１００の特殊配置は、製造組立て過程において、信号窓の取付け過程（リモートコントロール信号の発信器及び受信器をそれぞれ設置する際、個別に組み立てる必要がある）を省略することができ、一緒に統合されたリモートコントロール信号送受信回路と、制御条件を監視ホスト１１０のメモリ中に記録する技術手段とは、大きな範囲の信号搬送波を便利に使用し、本考案のリモートセキュリティ監視装置１００が適用する電子機器の種類及び範囲を広げることができる。本考案は、受信したリモートコントローラ制御信号を監視ホスト１１０のメモリ中へ送って直接記録し、広めの搬送波の周波数範囲により各種電子機器のリモートコントロールは容易に学習することができ、リモコンの特定周波数により制限を受けることはない。従来のリモートコントロール信号の学習は、狭い搬送波の周波数と、様々なメーカの電子機器の特定の周波数により制限を受けるが、本考案はこの制限を受けることはない。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１００  リモートセキュリティ監視装置、１１０  監視ホスト、１２０  リモートコントロール信号送受信器、１２２  受信領域、１２４  発射領域、１２６  リモートコントロール信号伝達ウィンドウ、１３０  撮像器、１３２  補助照明装置、１３４  撮像レンズ、２００  電子通信機器、３００  電子機器、３０１  電子機器のリモートコントローラ、ＣＳｉ  リモートコントローラ制御信号、ＣＳｏ  監視装置リモートコントロール信号。
【図１】
0003197643.tif 000003
【図２】
0003197643.tif 000004